(57)【要約】【課題】加湿装置の加湿量を安定化するものである。【解決手段】吸気口７と吹出口８とを有する本体ケース１と、本体ケース１に着脱自在である加湿部３と、加湿部３に空気を送風する送風機２とを備えている。加湿部３は、水を貯水する貯水容器１９と、貯水容器１９内の水を保水する円筒形状のフィルター２２と、フィルター２２を貯水容器１９の軸受け１９ａに回転支持するフィルター枠２３と、フィルター枠２３を回転させる駆動部２９とを有している。フィルター枠２３には、磁界を発生させる磁界発生部２７を設け、本体ケース１には、磁界発生部２７と対向した場合に、磁界発生部２７の磁界を検知する磁界検知部２８を設けたことにより、加湿量が安定した加湿装置を得られる。【選択図】図４
2019174035.tif 000002
【特許請求の範囲】
【請求項１】
吸気口と吹出口とを有する本体ケースと、
前記本体ケースに着脱自在である加湿部と、
前記加湿部に空気を送風する送風機とを備え、
前記加湿部は、
水を貯水する貯水容器と、
前記貯水容器内の水を保水する円筒形状のフィルターと、
前記フィルターを前記貯水容器の軸受けに回転支持するフィルター枠と、
前記フィルター枠を回転させる駆動部とを有し、
前記フィルター枠には、磁界を発生させる磁界発生部を設け、
前記本体ケースには、前記磁界発生部と対向した場合に、前記磁界発生部の磁界を検知する磁界検知部を設けたことを特徴とする加湿装置。
【請求項２】
前記フィルター枠部分は、
前記フィルターの内面と接する筒枠と、
前記筒枠の中心軸方向における一方側に設けられ、前記軸受けに嵌る第１の軸カバーと、
前記筒枠の中心軸方向における他方側に設けられ、前記軸受けに嵌る第２の軸カバーとを有し、
前記筒枠の回転軸は水平方向に延び、
前記駆動部は、前記本体ケースにおける前記第１の軸カバー側に設けられ、
前記磁界発生部は、前記第２の軸カバーに設けたことを特徴とする請求項１に記載の加湿装置。
【請求項３】
前記軸受けは、前記貯水容器の底面から上方に延び２本の板形状であり、上部には縦長形状である切り欠きを有し、
前記切り欠きに、前記第２の軸カバーの第２の軸が入り、
前記磁界検知部は、前記第２の軸より上方の前記切り欠きと対向していることを特徴とする請求項２に記載の加湿装置。
【請求項４】
前記軸受けは、前記貯水容器における側面の一部であることを特徴とする請求項３に記載の加湿装置。
【請求項５】
前記第２の軸カバーは、円板形状であり中央に軸を有し、
前記磁界発生部は、前記第２の軸カバーにおける周縁部に設けたことを特徴とする請求項２から４のいずれかに記載の加湿装置。
【請求項６】
前記磁界検知部は、前記貯水容器内の水位より上方に配置されたことを特徴とする請求項２から５のいずれかに記載の加湿装置。
【発明の詳細な説明】
【技術分野】
【０００１】
本発明は、加湿装置に関するものである。
【背景技術】
【０００２】
従来、この種の加湿装置は、吸気口と吹出口とを有する本体ケースと、本体ケースに着脱自在である加湿部と、加湿部に空気を送風する送風機とを備えている。加湿部は、水を貯水する貯水容器と、貯水容器内の水を保水する円筒形状のフィルターと、フィルターを貯水容器の軸受けに回転支持するフィルター枠と、フィルター枠を回転させる駆動部とを有した加湿装置が知られている（特許文献１）。
【先行技術文献】
【特許文献】
【０００３】
【特許文献１】特開２０１７−１５２８６号公報
【発明の概要】
【発明が解決しようとする課題】
【０００４】
従来の加湿機能を有する装置は、フィルターが回転し貯水容器にて水で濡らされ、濡れた部分が風路上を通過する風に晒すことで所望の加湿性能を達成する装置は広く使われている。しかしながら、フィルターが回転しなければ、加湿量が不安定となり、この状態のままユーザーが気づくことなく使用し続けてしまうという課題がある。
【０００５】
そこで本発明は、加湿量を安定させることができる加湿装置を提供することを目的とする。
【課題を解決するための手段】
【０００６】
そして、この目的を達成するために、本発明は、吸気口と吹出口とを有する本体ケースと、前記本体ケースに着脱自在である加湿部と、前記加湿部に空気を送風する送風機とを備え、前記加湿部は、水を貯水する貯水容器と、前記貯水容器内の水を保水する円筒形状のフィルターと、前記フィルターを前記貯水容器の軸受けに回転支持するフィルター枠と、前記フィルター枠を回転させる駆動部とを有し、前記フィルター枠には、磁界を発生させる磁界発生部を設け、前記本体ケースには、前記磁界発生部と対向した場合に、前記磁界発生部の磁界を検知する磁界検知部を設けたことを特徴としたものであり、これにより所期の目的を達成するものである。
【発明の効果】
【０００７】
本発明によれば、フィルターの回転を検知できるので、加湿量が安定した加湿装置を提供することが可能となる。
【図面の簡単な説明】
【０００８】
【図１】本発明の実施の形態１の加湿装置を示す斜視図
【図２】同加湿装置を示す斜視図
【図３】同加湿装置の加湿部を示す展開図
【図４】同加湿装置の断面図
【図５】同加湿装置の貯水容器を示す平面図
【図６】同加湿装置のフィルター部分を示す展開図
【図７】同加湿装置の加湿部を示す断面図
【図８】同加湿装置の加湿部を示す断面斜視図
【図９】同加湿装置の加湿部を示す斜視図
【発明を実施するための形態】
【０００９】
以下、本発明の実施の形態について図面を参照しながら説明する。
【００１０】
（実施の形態１）
まず、本発明に係る加湿装置について、図１〜図５を用いて説明する。
【００１１】
図１、図２、図３は、本発明の実施の形態１の加湿装置の斜視図である。なお、図１は、加湿装置を前面側から見た図である。図２は、パネルを開いた加湿装置を前面側から見た図であり、加湿部を取り外した状態である。図３は、貯水容器からタンク部材とフィルター部分を出した状態である。図４は、図１の断面図であり、パネルを開いた状態を示している。図５は、タンク部材とフィルター部分とを貯水容器から出し、貯水容器を上方から見た図である。
【００１２】
図１〜図５に示すように、本実施の形態の加湿装置は、略箱形状の本体ケース１と、送風機２と、加湿部３と、制御部４と、操作部５と、表示部６とを備える。
【００１３】
以下、加湿装置の詳細な構成について説明する。
【００１４】
本体ケース１には、吸気口７と、吹出口８と、操作カバー９と、パネル１０とが設けられている。
【００１５】
吸気口７は、本体ケース１の両側面に設けられている。吹出口８は、開閉式であって、本体ケース１の天面における背面側に設けられている。なお、図１、図２では、吹出口８は開いた状態である。本体ケース１の天面における前面側には、仰角方向に回転自在な操作カバー９が設けられている。操作カバー９を開くと、内部には操作部５が設けられている。
【００１６】
本体ケース１の前面側には、開閉可能なパネル１０が設けられている。パネル１０の上部には、窓部分１１を備えている。窓部分１１は、パネルに設けられた横長四角形状の開口が、透明な樹脂板に覆われた構造である。本体ケース１の外側から、窓部分１１を介して、本体ケース１内の表示部６を見ることができる。
【００１７】
パネル１０を開くと、本体ケース１内の下部には、空洞部１２が設けられている。空洞部１２は、本体ケースにおける前面側の横長四角形状の開口１２ａから、本体ケース１における背面側へ水平方向に延びた穴である。空洞部１２内には、加湿部３が設けられている。加湿部は３、図２に示すように、空洞部１２内から本体ケース１外へ取り出すことが出来る。
【００１８】
本体ケース１内には、図４に示すように、吸気口７と吹出口８とを連通する風路１３が設けられている。この風路１３には、吸気口７から順に、加湿部３（貯水容器、フィルター部分）、送風機２、吹出口８が設けられている。送風機２のモータ部１４によってファン部１５が回転すると、吸気口７から本体ケース１内に入った外部の空気は、順に、加湿部３貯水容器、フィルター部分）、送風機２、吹出口８を介して、本体ケース１から吹き出される。
【００１９】
送風機２は、本体ケースの中央部に設けられ、モータ部１４と、モータ部１４により回転するファン部１５と、それらを囲むスクロール形状のケーシング部１６とを備えている。
【００２０】
モータ部１４は、ケーシング部１６に固定されている。
【００２１】
ファン部１５は、シロッコファンで、モータ部１４から水平方向に延びた回転軸（図示せず）に固定されている。モータ部１４の回転軸は、本体ケース１の背面側から前面側に延びている。
【００２２】
ケーシング部１６には、吐出口１７と吸込口１８とが設けられている。吐出口１７は、ケーシング部１６の本体ケース１における上面側に設けられている。また、吸込口１８は、ケーシング部１６の本体ケース１における前面側に設けられている。モータ部１４によって、ファン部１５が回転すると、ケーシング部１６の吸込口１８からケーシング部１６内に空気が吸い込まれ、この吸い込まれた空気は、吐出口１７からケーシング部１６外へ送風される。
【００２３】
加湿部３は、貯水容器１９と、タンク部材２０と、フィルター部分２１とを備えている。
【００２４】
貯水容器１９は、天面に開口が設けられた箱形状をしており、水を貯水できる構造となっている。貯水容器１９は、本体ケース１の下部に配置されており、本体ケース１から水平方向にスライドして着脱可能となっている。貯水容器１９は、タンク部材２０から供給される水を貯水する。貯水容器１９には、後述するフィルター枠を回転自在に支持する軸受け１９ａを備えている。
【００２５】
軸受け１９ａは、貯水容器１９の底面から上方に延びる２枚の板形状であり、フィルター枠２３の回転軸に対して垂直な面を有している。軸受け１９ａは、上部に縦長四角形状で、下端が半円形状である切り欠き１９ｂを有し、この切り欠き１９ｂに、後述するフィルター枠２３の軸が回動自在に入る構造となっている。なお、２枚の軸受け１９ａは、貯水容器１９の側面の一部である。
【００２６】
タンク部材２０は、本体ケース１内部の一方側の側面に設置され貯水容器１９から着脱可能な構造となっている。タンク部材２０は、貯水容器１９の底面に設けられたタンク保持部１９ｃに装着されている。タンク部材２０は、水を貯水するタンク２０ａと、タンク２０ａの開口（図示せず）に設けられた蓋２０ｂとを備えている。蓋２０ｂの中央には、開閉部（図示せず）が設けられており、この開閉部が開くと、タンク２０ａ内の水が、貯水容器１９へ供給される。具体的には、タンク２０ａの開口を下向きにして、タンク部材２０を貯水容器１９のタンク保持部１９ｃに取り付けると、タンク保持部１９ｃによって開閉部が開く。つまり、タンク部材２０に水を入れてタンク保持部１９ｃに取り付けると、開閉部が開いてタンク部材２０から貯水容器１９に給水され、貯水容器１９内に水が溜まる。貯水容器１９内の水位が上昇して水が蓋２０ｂのところまで到達するとタンク部材２０の開口が水封されるので給水が停止する。タンク部材２０の内部には水が残っており、貯水容器１９内の水位が下がった場合に都度、タンク２０ａ内部の水が貯水容器１９に給水される。即ち、貯水容器１９内の水位は一定に保たれる。
【００２７】
図６は、実施の形態１の加湿装置のフィルター部分を示す展開図である。図７は、実施の形態１の加湿装置の加湿部を示す断面図である。図８は、実施の形態１の加湿装置の加湿部を示す断面斜視図である。図９は、実施の形態１の加湿装置の加湿部を示す斜視図である。
【００２８】
図５、図６、図７、図８、図９に示すように、フィルター部分２１は、貯水容器１９に貯水された水と、送風機２によって本体ケース１内に吸込まれた室内空気とを接触させる部材である。フィルター部分２１は、フィルター２２と、フィルター枠２３と、駆動部２９とを備えている。
【００２９】
フィルター２２は、円筒状に構成され、円周部分に空気が流通可能な孔が設けられている。フィルター２２は、フィルター２２の一端が貯水容器１９の水に浸漬するように、フィルター２２の中心軸を回転中心として貯水容器１９内に、フィルター枠２３によって回転自在に内蔵されている。
【００３０】
フィルター枠２３は、貯水容器１９の軸受け１９ａに回転支持される構造となっている。フィルター枠２３は、筒枠２４と、第１の軸カバー２５と、第２の軸カバー２６とを備えている。
【００３１】
フィルター２２の内面と接する筒枠２４は、円環板２４ａと、連結枠２４ｂとを備えている。
【００３２】
円環板２４ａは、円環形状の平板であり、多数の円環板は、円環板の中心軸が、回転軸と同軸となるように配置され、隣り合った円環板との間には隙間を有するように連結枠２４ｂによって保持されている。筒枠の円環板２４ａの外形は、フィルター２２の内径とほぼ同じ寸法である。フィルター枠２３の外周である円環板２４ａの周縁は、円筒状に構成されたフィルター２２の内面と接し、フィルター２２を円筒形状に支持する。
【００３３】
第１の軸カバー２５は、筒枠２４の中心軸方向における一方側に固定される円形状の板である第１のカバー２５ａと、第１のカバー２５ａの中心から外方に突出した円柱形状の突起である第１の軸２５ｂとを備えている。第１のカバー２５ａの直径は、フィルター２２の外径より一回り大きい寸法である。第１の軸２５ｂは、貯水容器１９における一方側の軸受け１９ａの切り欠きに嵌る構造となっている。第１のカバー２５ａと第１の軸２５ｂとは、一体の構造である。第１の軸２５ｂの先端部分に外周面には、多数の突起である、多数の歯２５ｃを備えている。第１の軸２５ｂの多数の歯２５ｃは、後述する駆動部の歯車と接触し、駆動部の歯車の回転によって、第１の軸２５ｂを介して、フィルター枠２３が回転する構造である。
【００３４】
第２の軸カバー２６は、筒枠２４の中心軸方向における他方側に着脱自在な円形状の板である第２のカバー２６ａと、第２のカバー２６ａの中心から外方に突出した円柱形状の突起である第２の軸２６ｂとを備えている。第２のカバー２６ａの直径は、フィルター２２の外径より一回り大きい寸法である。第２の軸２６ｂは、貯水容器１９における他方側の軸受け１９ａの切り欠き１９ｂに嵌る構造となっている。第２の軸２６ｂと第２の軸２６ｂとは、一体の構造である。
【００３５】
駆動部２９は、歯車２９ａを備え、歯車２９ａの回転によってフィルター枠２３を回転させ、フィルター枠２３の回転によってフィルター２２が回転する。フィルター２２の一端が貯水容器１９の水に浸漬するように配置されているので、水と室内空気を連続的に接触させる構造となっている。
【００３６】
フィルター２２のお手入れについて説明する。まず、本体ケース１の下部から、貯水容器１９を水平方向にスライドして、本体ケース１から貯水容器１９を取り外す。次に、貯水容器１９の軸受け１９ａからフィルター２２が装着されたフィルター枠２３を外す。最後に、フィルター枠２３である筒枠２４から第２の軸カバー２６を外し、更に筒枠２４からフィルター２２を外して、フィルター２２を押し洗い等のお手入れを行う。フィルター２２を取り付ける場合は、フィルター２２のお手入れの手順の逆の順番に、それぞれの部品を取り付ける。
【００３７】
本実施形態における特徴は、フィルター枠２３には、磁界を発生させる磁界発生部２７を設け、本体ケースには、磁界発生部２７と対向した位置に、磁界発生部２７の磁界を検知する磁界検知部２８を設けたことである。具体的には、第２の軸カバー２６の内面には、磁界発生部２７を備えている。なお、磁界発生部２７の一例は、磁石であり、磁界検知部２８の一例は、ホールセンサーである。
【００３８】
なお、制御部４は、フィルター部分２１（駆動部２９）と、送風機２（モータ部１４）と、点検ランプ３０を制御する。具体的には、制御部４は、操作部５の操作に応じて、フィルター部分２１である駆動部２９の動作、送風機２であるファン部１５の回転数を制御する。更に、磁界検知部２８が、フィルター２２の回転を検知しない場合には、点検ランプ３０の点滅をさせ、使用者に点検を促す（図２参照）。それと同時に、制御部４は、フィルター部分２１（駆動部２９）と送風機２（モータ部１４）の運転を停止する。
【００３９】
また、磁界検知部２８は、本体ケース１における第２の軸カバー２６の外面に対向した部位である空洞部１２の側面に配置されている。フィルター部分２１の回転軸の軸方向と、本体ケース１の空洞部１２への貯水容器１９の着脱方向とが成す角度は、９０度である。これにより、フィルター２２とフィルター枠２３とが回転すると、１回転ごとに磁界検知部２８が、磁界発生部２７を検知するので、フィルター２２とフィルター枠２３とが回転しているかどうかを検知することができる。更に、駆動部２９は、本体ケース１における第１の軸カバー２５側に設けられているので、駆動部２９から発生する磁界が磁界検知部２８に影響を及ぼすことを防止できる。
【００４０】
また、磁界検知部２８と第２の軸カバー２６との間には、貯水容器１９の軸受け１９ａが配置されない構成である。言い換えると、磁界検知部２８は、貯水容器１９の軸受け１９ａに設けた切り欠き１９ｂと対向している。これにより、磁界検知部２８は、貯水容器１９の軸受け１９ａを介さずに、切り欠き１９ｂを介して、磁界発生部２７の磁界を検知できるので、磁界発生部２７を検知しやすくなる。更に、磁界発生部２７が、第２の軸カバー２６と共に回転し、軸受け１９ａと対向している間は、磁界検知部２８によって磁界が検知され難いので、磁界発生部２７の磁界を誤って検知することを抑制できる。
【００４１】
また、軸受け１９ａは、貯水容器１９における側面の一部である。これにより、軸受け１９ａと空洞部１２の側面との距離が小さくなるので、磁界発生部２７と磁界検知部２８との距離が小さくなり、磁界検知部２８は、磁界発生部２７を検知しやすくなる。
【００４２】
また、第２の軸カバー２６は、円板形状であり中央に第２の軸２６ｂを有し、磁界発生部は、第２の軸カバー２６における周縁部に配置されている。これにより、磁界発生部２７を磁界検知部２８が第１の軸カバーにおける第１の軸に近い位置に配置する場合に比べ、磁界発生部を検知する精度が向上する。
【００４３】
また、磁界検知部２８は、貯水容器１９内の水位より上方に配置されている。これにより、磁界検知部２８は、水を介さずに磁界発生部２７の磁界を検知できるので、磁界発生部２７を検知しやすくなる。
【産業上の利用可能性】
【００４４】
本発明にかかる加湿装置は、家庭用や事務所用などに使用される加湿装置等として有用である。
【符号の説明】
【００４５】
１    本体ケース
２    送風機
３    加湿部
４    制御部
５    操作部
６    表示部
７    吸気口
８    吹出口
９    操作カバー
１０    パネル
１１    窓部分
１２    空洞部
１２ａ    開口
１３    風路
１４    モータ部
１５    ファン部
１６    ケーシング部
１７    吐出口
１８    吸込口
１９    貯水容器
１９ａ    軸受け
１９ｂ    切り欠き
１９ｃ    タンク保持部
２０    タンク部材
２０ａ    タンク
２０ｂ    蓋
２１    フィルター部分
２２    フィルター
２３    フィルター枠
２４    筒枠
２４ａ    円環板
２４ｂ    連結枠
２５    第１の軸カバー
２５ａ    第１のカバー
２５ｂ    第１の軸
２６    第２の軸カバー
２６ａ    第２のカバー
２６ｂ    第２の軸
２７    磁界発生部
２８    磁界検知部
２９    駆動部
２９ａ    歯車
３０    点検ランプ
【図１】
2019174035.tif 000003
【図２】
2019174035.tif 000004
【図３】
2019174035.tif 000005
【図４】
2019174035.tif 000006
【図５】
2019174035.tif 000007
【図６】
2019174035.tif 000008
【図７】
2019174035.tif 000009
【図８】
2019174035.tif 000010
【図９】
2019174035.tif 000011